(57)【要約】【課題】  傘の使用時に傘から取り外して別途携帯する必要がなく、既存の傘にも容易に装着可能な汎用性を有する、構造が簡単で製造コストの安い傘収納具を提供する。【解決手段】  畳んだ傘Ａの傘布Ｂを、柄Ｃに近い部分で束ねて保持する保持環２と、傘布Ｂを収納する非透水性で且つ柔軟に屈曲可能な略筒状の傘袋３と、傘Ａの石突きに装着されるカップ状の傘袋収納部４から構成されている。傘袋３の一方の端の周縁部３Ａは保持環２に固定され、他方の端の周縁部は傘袋収納部４の底面に固定されており、傘Ａの使用時には、保持環２と傘袋３が、開いた傘布Ｂの上面で、傘袋収納部４内に押し込まれて収納される。【選択図】  図１
0003194464.tif 000002
【実用新案登録請求の範囲】
【請求項１】
畳んだ傘の傘布を、柄に近い部分で束ねて保持する保持環と、
前記傘布の略全体部分を収納可能な長さを有し、一方の端の周縁部が前記保持環の略全周に固定されているとともに、他方の端に向けて先細りに形成された、非透水性で且つ柔軟に屈曲可能なフィルム状素材からなる略筒状の傘袋と、
中心部に、前記傘の石突きを嵌入固定する孔が開口する底面を有し、前記底面の周囲に前記孔と同心状に前記保持環を収納可能な内径を有する、円形の周壁が形成されているとともに、前記傘袋の他方の端の周縁部が、前記底面に孔と同心状に固定されているカップ状の傘袋収納部とを備え、
傘の使用時に、底面が下向きになった傘袋収納部の前記底面と周壁内面によって画定される空間内に、保持環と傘袋が開いた傘布の上面で押し込まれて収納されるようにしたことを特徴とする傘収納具。
【請求項２】
傘袋収納部は、傘の石突きを嵌入固定する孔が中心部を貫通しているとともに、外周にテーパねじが形成され、且つ、先端面から所定長さの半径方向に横断するスリットを少なくとも一箇所有する、底面の裏側の面から突出したスリーブと、前記テーパねじに、内周面に形成されたテーパねじが螺合して固定されるキャップとを有し、
前記キャップをスリーブにねじ込むことで、当該スリーブのスリット近傍部分が弾性変形し、孔の一部を構成する前記スリーブの内周面が、石突きの外周面に押し付けられて摩擦固定されることを特徴とする請求項１に記載の傘収納具。
【考案の詳細な説明】
【技術分野】
【０００１】
本考案は、濡れた傘を収納するための傘収納具に関し、特に、傘の使用時に傘から取り外して別途携帯する必要がない傘収納具に関する。
【背景技術】
【０００２】
従来より、レストラン等の室内や、電車等の車内へ濡れた傘を持ち込む場合に、室内や車内の床面を傘から滴り落ちる水滴で濡らしたり、混雑した車内で周囲の人の衣服等を濡らしたりすることを防止するために、種々の提案がなされている。
【０００３】
例えば、特許文献１に提案されている「傘カバー」は、キャップ状の下端部を傘の先端部（石突き）に嵌合して固定し、傘を畳んだ状態において、伸縮自在な蛇腹状の周壁を伸長させて、傘の防水布を覆うようにしてある。
【０００４】
そして、傘を使用する場合には、前記蛇腹状の周壁をキャップ状の下端部側へ収縮させることで傘を開くことができ、傘の上に装着したまま傘をさすことが可能であり、あるいは、傘の先端部から取り外して携帯することも可能になっている。
【０００５】
また、特許文献２において提案されている「傘袋」は、防水性と伸縮性を有するゴム等の材質で開口部が太く、先端部が細く形成されており、前記先端部には傘の先端部を押さえて固定する留め具が設けられているとともに、開口部にはリングが設けられている。
【０００６】
この傘袋を使用しない時には、前記リングを芯として開口部側から留め具側に巻き上げて、傘の上に収納できるようになっている。また、傘袋を使用する際は、傘を畳んだ状態でその先端部に巻き上げた傘袋を柄の方向に巻もどしてかぶせ、傘に付着した雨水が外部に漏れないようにしている。
【０００７】
また、特許文献３において提案されている「傘とカバーが一体となった傘」は、傘の石突きと布地との接触部分にカバー収納部を設けてあり、傘の使用時にはこのカバー収容部内にカバーを収納しておき、傘を畳んだときに前記カバーをカバー収容部から引き出して傘の布地を覆うようにしている。
【０００８】
この傘は、カバーと下ロクロとを結ぶ紐が傘支柱内部に通してあり、傘を開く際に下ロクロを押し上げることで、傘支柱内部の紐が引き下げられ、それに従い、カバー収納部からカバー内部に通された紐が引き上げられて、カバーがカバー収容部内に収納される構造になっている。
【先行技術文献】
【特許文献】
【０００９】
【特許文献１】特開平１０−５７１２９号公報
【特許文献２】特開平７−３０８２１３号公報
【特許文献３】登録実用新案第３０３９７２８号公報
【考案の概要】
【考案が解決しようとする課題】
【００１０】
前述した特許文献１に記載されている「傘カバー」は、傘の上に装着したままで傘をさすことが可能であるが、傘を使用している間に、蛇腹状に折り畳まれた周壁の襞の隙間に雨水が浸入してしまうため、畳んだ傘の防水布を傘カバーで覆っても、その周壁の外側が雨水で濡れてしまうため、傘カバーとしての効果が薄れてしまう問題があった。
【００１１】
また、特許文献２に記載されている「傘袋」は、リングを芯としての巻き上げ、巻きもどし動作によって傘への脱着を行うため、脱着に時間がかかる問題があった。また、特許文献３に記載されている「傘とカバーが一体となった傘」は、傘とカバーがあらかじめ一体に製作されていて傘の構造が複雑であるため、紐の破断等の故障が生じた場合の修理が困難であるとともに、製造コストが高くなる問題があった。
【００１２】
そこで、本考案は、前述したような従来技術における問題を解消することができ、傘の使用時に傘から取り外して別途携帯する必要がなく、既存の傘にも容易に装着可能な汎用性を有する、構造が簡単で製造コストの安い傘収納具を提供することを目的とする。
【課題を解決するための手段】
【００１３】
前記課題を解決するために提供される本考案の傘収納具は、畳んだ傘の傘布を、柄に近い部分で束ねて保持する保持環と、前記傘布の略全体部分を収納可能な長さを有し、一方の端の周縁部が前記保持環の略全周に固定されているとともに、他方の端に向けて先細りに形成された、非透水性で且つ柔軟に屈曲可能なフィルム状素材からなる略筒状の傘袋と、中心部に、前記傘の石突きを嵌入固定する孔が開口する底面を有し、前記底面の周囲に前記孔と同心状に前記保持環を収納可能な内径を有する、円形の周壁が形成されているとともに、前記傘袋の他方の端の周縁部が、前記底面に孔と同心状に固定されているカップ状の傘袋収納部とを備え、傘の使用時に、底面が下向きになった傘袋収納部の前記底面と周壁内面によって画定される空間内に、保持環と傘袋が開いた傘布の上面で押し込まれて収納されるようにしたものである。
【００１４】
本考案の傘収納具においては、傘袋収納部は、傘の石突きを嵌入固定する孔が中心部を貫通しているとともに、外周にテーパねじが形成され、且つ、先端面から所定長さの半径方向に横断するスリットを少なくとも一箇所有する、底面の裏側の面から突出したスリーブと、前記テーパねじに、内周面に形成されたテーパねじが螺合して固定されるキャップとを有し、前記キャップをスリーブにねじ込むことで、当該スリーブのスリット近傍部分が弾性変形し、孔の一部を構成する前記スリーブの内周面が石突きの外周面に押し付けられて摩擦固定されるように構成されていることが望ましい。
【考案の効果】
【００１５】
請求項１に記載の考案に係る傘収納具は、傘の使用時に、底面が下向きになった傘袋収納部の前記底面と周壁内面によって画定される空間内に、保持環と傘袋が開いた傘布の上面で押し込まれて収納される構造であるため、傘袋の外面を降雨によって濡らしてしまうおそれが無く、傘収納具を傘から取り外して別途携帯する必要がない。
【００１６】
また、傘袋収納部に形成された孔に傘の石突きを嵌入して固定する構造であるため、標準的な構造の既存の傘に取り付けて使用することが可能であり、高い汎用性を有する。また、構造が簡単で製造が容易であるため製造コストを安くできる。
【００１７】
請求項２に記載の考案に係る傘収納具は、傘袋収納部を傘の石突きへ着脱する作業を、キャップを回動させることで、容易に且つ確実に行うことができる。さらに、スリーブからキャップを外すことによって、傘袋収納部の孔内へ浸入した雨水やゴミを容易に清掃することができる。
【図面の簡単な説明】
【００１８】
【図１】本考案の傘収納具の１実施形態を示す側面図である。
【図２】本考案の傘収納具の１実施形態を示す斜視図である。
【図３】本考案の傘収納具の１実施形態における、保持環と傘袋との連結構造を示す部分断面図である。
【図４】本考案の傘収納具の１実施形態における、傘袋収納部の縦断面図である。
【図５】本考案の傘収納具の１実施形態における、一部に切欠き断面を表示した傘袋収納部の分解斜視図である。
【図６】本考案の傘収納具の１実施形態における、傘の石突きに装着した傘袋収納部の縦断面図である。
【図７】本考案の傘収納具の１実施形態における、傘の傘布から傘袋を外す手順を説明する図である。
【図８】本考案の傘収納具の１実施形態における、傘の傘布から傘袋を外す手順を説明する図である。
【図９】本考案の傘収納具の１実施形態における、傘の傘布から傘袋を外す手順を説明する図である。
【図１０】本考案の傘収納具の１実施形態における、保持環と傘袋が傘袋収納具内に格納されている傘使用時の状態を示す図である。
【図１１】本考案の傘収納具の１実施形態における、傘使用時の傘袋収納部内の保持環と傘袋の収納状態を示す縦断面図である。
【考案を実施するための形態】
【００１９】
以下、図面に基づいて、本考案の実施形態を説明する。
図１は、本考案の傘収納具の１実施形態を示す側面図であって、同図は、傘を収納した状態を示している。また、図２は、前記傘収納具の斜視図であって、これらの図に示すように、本考案の傘収納具１は主に、保持環２、傘袋３、及び、傘袋収納部４の３つの部分から構成されている。
【００２０】
前記保持環２は、図１に示すように傘袋３を傘Ａの傘布Ｂに被せたときに、傘布Ｂの周囲を拡がらないように束ねて保持するとともに、傘袋３を傘布Ｂに被せたり外したりする際に、傘袋３の周縁部３Ａが破れないように補強する役割を果たすものである。
【００２１】
なお、本実施形態のものにおいては、保持環２は、束ねた傘布Ｂから滑り落ち難くするために、ステンレス鋼線からなる撚り線を円環状に形成して、弾性変形が容易に作られている。なお、傘布Ｂ表面の摩擦が大きくて保持環２が滑り難い場合には、前記保持環２には、無垢なステンレス鋼材等の高剛性素材で製作したものを用いてもよい。
【００２２】
また、傘袋３は、非透水性で且つ柔軟に屈曲可能なフィルム状素材を用いて、やや先細りの筒状に形成されており、畳んだ状態の傘布Ｂの略全長を覆う長さを有している。なお、傘袋３の素材としては、例えば、ポリ塩化ビニル等の薄くて丈夫で且つコンパクトに折り畳める、フィルム状の樹脂素材が好適である。
【００２３】
前記傘袋３の傘Ａの柄Ｃに近い方の端の周縁部３Ａは、図３に示すように、前記保持環２を内部に包み込むように外側に反転して、その先端に接合部ａが形成されており、この部分が前記周縁部３Ａの外周面に超音波溶着等の手段によって固定されて、傘袋３と保持環２が結合されている。
【００２４】
なお、保持環２の素材には、錆の発生を抑えるために、ここではステンレス鋼を用いているが、同図のように保持環２を傘袋３の周縁部３Ａの内側に完全に包み込んだ密封構造としている場合には、保持環２の素材として例えば、普通鋼等を用いてもよい。
【００２５】
図４は、傘袋収納部４の縦断面図、図５は、一部に切欠き断面を表示した分解斜視図であって、これらの図に示す傘袋収納部４は、軽量で衝撃に強い樹脂素材で、カップ状に形成されており、その底面４Ａの中心部に、前記傘Ａ先端の石突きを嵌入するための孔４Ｂが開口している。
【００２６】
また、底面４Ａの周囲には、前記孔４Ｂと同心状に、ここには図示していない前述した保持環２を収納可能な内径を有する、円形の周壁４Ｃが略垂直に形成されている。なお、この実施形態のものにおいては、前記周壁４Ｃの上端には、前記保持環２を周壁４Ｃの内側に案内するテーパ状の保持環案内面４Ｄが設けられている。
【００２７】
また、前記底面４Ａの孔４Ｂの開口部の周囲には、傘袋３の下端の外側に折り曲げられた周縁部３Ｂとの接合部ｂが、孔４Ｂと同心状に形成されている。なお、前記接合部ｂにおける傘袋３の周縁部３Ｂと底面４Ａとの間の接合には、超音波溶着等の手段を用いることができる。
【００２８】
前記孔４Ｂは、底面４Ａの裏側の面から下方に突出しているスリーブ４Ｅ内を貫通して形成されている。スリーブ４Ｅは、その外径が下向きにテーパ状に減少し、その外周面にはテーパねじｎ１が設けられている。また、前記スリーブ４Ｅには、その直径方向に横断するすり割りｓが形成されていて、これと直交する方向に、スリーブ４Ｅが容易に弾性撓み変形可能になっている。
【００２９】
前記テーパねじｎ１には、これと適合するテーパねじｎ２が内周面に形成されているキャップ４Ｆが螺合されている。また、このキャップ４Ｆの外周面の一部には、指で掴んで回し易いように、ローレット溝ｒが形成されている。
【００３０】
なお、本実施形態のものにおいては、キャップ４Ｆは傘袋収納部４の一部を構成しており、残りの部分と同じ樹脂素材で製作されているが、傘Ａを図１のように収納した時に、先端が床面等に当たって摩耗し易いため、この部分のみ、アルミニウム合金やステンレス等の強度と耐蝕性を有する素材で製作してもよい。またキャップ４Ｆも含めて傘袋４全体をアルミニウム等の軽量金属で製作してもよい。
【００３１】
図６は、傘袋収納部４の孔４Ｂに、前記傘Ａの石突きＤを嵌入固定した状態を示す縦断面図であって、スリーブ４Ｅのテーパねじｎ１にキャップ４Ｆのテーパねじｎ２を螺合させてねじ込むにしたがって、前述したすり割りｓ（図４及び図５参照）の間隔が狭まり、その両側のスリーブ４Ｅの内周面が石突きＤを挟んで締め付けることで、傘袋収納部４は、傘Ａの石突きＤに堅固に摩擦固定される。
【００３２】
なお、ここでは、すり割りｓをスリーブ４Ｅの１つの直径を横断して設けているが、スリーブ４Ｅの外面と内面間を半径方向に横断するように一箇所、もしくは、周方向に等分割した複数箇所（例えば３箇所）に放射状に設けてもよい。
【００３３】
以下に、本考案の傘収納具１の使用方法について説明する。
前述したように、傘袋収納部４の孔４Ｂに石突きＤを嵌入して傘収納具１を取り付けてある傘Ａを畳んで傘袋３に収納する場合には、保持環２を図１に示す位置まで引き上げて、傘袋３内に傘布Ｂの略全体部分を収納する。この際、傘布Ｂの柄Ｃ側の部分は、外側に開く習性によって、保持環２の内周に押し付けられているため、両者の間に作用する摩擦力が保持環２の滑り落ちを阻止している。
【００３４】
次に、傘Ａを使用する場合には、先ず図７に示すように、傘Ａを立てた状態で、傘布Ｂの上端付近を一方の手で掴んで内側に寄せて保持環２の内周から離し、他方の手で保持環２を傘袋３とともに引き下ろす。
【００３５】
そして、図８のように、保持環２を傘袋収納部４付近まで下ろすと、これに伴って傘袋３は襞が寄って下方に短縮する。この際、縮まった傘袋３には、その上方から保持環２の重量が作用しているため、保持環２から手を離しても縮んだ傘袋３が上方に弾性で戻ることはない。
【００３６】
こうして、保持環２と傘袋３を傘袋収納部４の近傍まで下げたら、次に図９に示すように、柄Ｃを手で持って、傘Ａの先端を引き上げながら傘布Ｂを開くと、保持環２と傘袋３は傘布Ｂの拡がる上面に案内されて、最終的には図１０に示すように、上下反転した傘袋収納部４内に収納される。
【００３７】
図１１は、傘Ａ使用時の傘袋収納部４内の保持環２と傘袋３の収納状態を示す縦断面図であって、同図から解るように、保持環２はやや円錐状に拡げられた傘布Ｂの上面によって、傘袋収納部４の略中心側に移動するように案内され、さらに保持環案内面４Ｄで周壁４Ａの内側に案内されるとともに、傘袋３は扁平に折り畳まれて保持環２とともに、周壁４Ｃの内面と底面４Ａによって画定される傘袋収納部４内部の空間内にコンパクトに収納される。
【００３８】
この際、同図に示すように、保持環案内面４Ｄの下端周縁部と傘布Ｂの上面とは、拡がった傘布Ｂの弾力によって密着して、傘袋３が収納されている前記空間内への降雨の浸入が防止されるので、傘Ａの使用時に傘袋３の外面が雨水で濡れてしまうことはない。
【００３９】
前述した実施形態のものにおいては、傘袋収納部４がキャップ４Ｆを有し、当該キャップ４Ｆの回動によって、孔４Ｂの一部を構成しているスリーブ４Ｅの内周面が石突きＤの外周面に押し付けられて摩擦固定されるようにしているため、傘Ａに対して傘収納具１を容易且つ確実に着脱することができるとともに、分解清掃も容易に行うことができる。
【００４０】
本考案の傘収納具は、この実施形態に限定するものではなく、キャップを別部品として設けずに、単体部品として傘袋収納部を樹脂や軽量金属等の素材で製作してもよい。なお、この場合には、例えば傘袋収納部の底面中心部に開口する孔の内径を僅かに先細りのテーパ状に形成しておいて石突きを上方から圧入することで、傘袋収納部を石突きに摩擦固定することができる。
【００４１】
また、この場合には、傘袋の内側に付着する雨水が、孔から下方に漏出したり、傘袋収納部内部に下端から侵入しないように、孔は下端まで貫通させずおくか、孔の下端を閉塞しておくことが望ましい。
【産業上の利用可能性】
【００４２】
本考案の傘収納具は、比較的細長い石突きを有する既存の傘に利用することができる。また、傘の製造工程の中で傘に取り付けて利用することもできる。
【符号の説明】
【００４３】
１        傘収納具
２        保持環
３        傘袋
３Ａ、３Ｂ  周縁部
４        傘袋収納部
４Ａ      底面
４Ｂ      孔
４Ｃ      周壁
４Ｄ      保持環案内面
４Ｅ      スリーブ
４Ｆ      キャップ
ａ、ｂ     接合部
ｎ１、ｎ２  テーパねじ
ｒ        ローレット
ｓ        すり割り
Ａ        傘
Ｂ        傘布
Ｃ        柄
Ｄ        石突き
【図１】
0003194464.tif 000003
【図２】
0003194464.tif 000004
【図３】
0003194464.tif 000005
【図４】
0003194464.tif 000006
【図５】
0003194464.tif 000007
【図６】
0003194464.tif 000008
【図７】
0003194464.tif 000009
【図８】
0003194464.tif 000010
【図９】
0003194464.tif 000011
【図１０】
0003194464.tif 000012
【図１１】
0003194464.tif 000013